(57)【要約】【課題】従来にあっては、肌診断の結果に基づいて前記した各施術を行う順序や各施術の施術時間は、施術者の経験と感に頼っていたので、前記した各施術具を操作することができるような初心者にあっては、施術順序や施術時間はについては熟練をようするため、実際の施術が行えないといった問題があり、また、施術が終了した場合において、顧客が施術前と施術後の肌がどのように変化したのかも知ることができないといった問題もあった。【解決手段】施術前における肌の水分量、油脂量、肌弾性を計測可能な肌診断器を使用して顧客の少なくと２カ所以上の部位の前記水分量、油脂量、肌弾性の肌診断データを取得して記憶させ、施術後における水分量、油脂量、肌弾性の肌診断データを取得し、前記施術前の肌診断データと施術後の肌診断データとをディスプレー上にグラフ等の比較可能なように表示した肌診断の結果に基づく施術表示方法である。【選択図】　　　　図１
2004121662.tif 000002
【特許請求の範囲】
【請求項１】
施術前における肌の水分量、油脂量、肌弾性を計測可能な肌診断器を使用して顧客の少なくと２カ所以上の部位の前記水分量、油脂量、肌弾性の肌診断データを取得して記憶させ、施術後における水分量、油脂量、肌弾性の肌診断データを取得し、該肌診断データと、予めエステシャンが経験から各水分量、油脂量、肌弾性の値に対する施術順序や施術時間の基準データとを比較し、その比較の結果において最も近いデータを選択し、該選択した施術順序および施術時間を前記ディスプレー上に表示するようにしたことを特徴とする肌診断の結果に基づく施術表示方法。
【請求項２】
前記施術順序および施術時間は必要に応じて施術順序を変更したり削除したり、あるいは、施術時間を変更することができるようにしたことを特徴とする請求項２記載の肌診断の結果に基づく施術表示方法。
【請求項３】
施術前における肌の水分量、油脂量、肌弾性を計測可能な肌診断器を使用して顧客の少なくと２カ所以上の部位の前記水分量、油脂量、肌弾性の肌診断データを取得して記憶させ、該肌診断データが得られた後に、エステテックサロンや施術者が予め設定した所望の施術順序および施術時間が前記ディスプレー上に表示され、前記施術順序の変更や削除、あるいは、施術時間の変更が行えるようにしたことを特徴とする肌診断の結果に基づく施術表示方法。
【請求項４】
施術前における肌の水分量、油脂量、肌弾性を計測可能な肌診断器を使用して顧客の少なくと２カ所以上の部位の前記水分量、油脂量、肌弾性の肌診断データを取得して記憶させ、施術後における水分量、油脂量、肌弾性の肌診断データを取得し、前記施術前の肌診断データと施術後の肌診断データとをディスプレー上にグラフ等の比較可能なように表示したことを特徴とする肌診断の結果に基づく施術表示方法。
【発明の詳細な説明】
【０００１】
【発明の属する技術分野】
本発明はエステテックサロン等において顧客に対してエステを施す際に、肌診断の結果をディスプレー上に表示すると共に、該肌診断の結果に基づいてどの様な施術を行うかを前記ディスプレー上に表示するようにした肌診断の結果に基づく施術表示方法に関する。
【０００２】
【従来の技術】
エステテッィクサロンにおいて顧客の顔に対してエステを行う場合には、先ず、肌診断器（肌の水分量、油分量、肌弾性を電気的に計測する）を用いて肌診断を行う方法としては、例えば、特開平１１−２５３４０８号公報に開示されている。この出願の発明は、肌診断の結果を単に表示部において皮膚の荒れ、黒ずみ、しみ、潤い等を表示するものであった。
【０００３】
【特許文献】特開平１１−２５３４０８号公報
【０００４】
ところで、エステテックサロン等において前記した肌診断を行った後に、該肌診断の結果（肌の水分量、油分量、肌弾性）に基づいて各種の施術を、以下に述べる施術具を利用して肌の回復を行っていた。施術具としては、例えば、フリマトール（回転ブラシを肌にタッチしながらメイクや肌の汚れをクレンジングする）、ヴァキューム（空気の負圧を利用した吸引力で皮膚の表面に付いた余分な皮脂や汚れを取り除く）、スチーマー（ミクロのミストスチームを肌に暖かさと潤いを与えて血行と新陳代謝を促す）、アイオノス（化粧水を効果的に浸透させる）、パター（空気圧で肌を揺らしたり吐きだしたりして肌にマッサージを行う）等がある。
【０００５】
【発明が解決しようとする課題】
しかし、従来にあっては、前記肌診断の結果に基づいて前記した各施術を行う順序や各施術の施術時間は、施術者の経験と感に頼っていたので、前記した各施術具を操作することができるような初心者にあっては、施術順序や施術時間はについては熟練をようするため、実際の施術が行えないといった問題があり、また、施術が終了した場合において、顧客が施術前と施術後の肌がどのように変化したのかも知ることができないといった問題もあった。
【０００６】
本発明は前記した問題点を解決せんとするもので、その目的とするところは、肌診断の結果を肌の水分量、油分量、肌弾性の各項目毎にグラフで表示すると共に、該肌診断の結果に基づいて施術順序や施術時間を順次表示し、また、前記表示された施術順序や施術時間を施術者の経験等で変更することが可能な肌診断の結果に基づく施術表示方法を提供せんとするにある。
【０００７】
【課題を解決するための手段】
本発明の肌診断の結果に基づく施術表示方法は前記した目的を達成せんとするもので、請求項１の手段は、施術前における肌の水分量、油脂量、肌弾性を計測可能な肌診断器を使用して顧客の少なくと２カ所以上の部位の前記水分量、油脂量、肌弾性の肌診断データを取得して記憶させ、施術後における水分量、油脂量、肌弾性の肌診断データを取得し、該肌診断データと、予めエステシャンが経験から各水分量、油脂量、肌弾性の値に対する施術順序や施術時間の基準データとを比較し、その比較の結果において最も近いデータを選択し、該選択した施術順序および施術時間を前記ディスプレー上に表示するようにしたことを特徴とする。
【０００８】
請求項２の手段は、前記請求項１において、前記施術順序および施術時間は必要に応じて施術順序を変更したり削除したり、あるいは、施術時間を変更することができるようにしたことを特徴とする。
【０００９】
請求項３の手段は、施術前における肌の水分量、油脂量、肌弾性を計測可能な肌診断器を使用して顧客の少なくと２カ所以上の部位の前記水分量、油脂量、肌弾性の肌診断データを取得して記憶させ、該肌診断データが得られた後に、エステテックサロンや施術者が予め設定した所望の施術順序および施術時間が前記ディスプレー上に表示され、前記施術順序の変更や削除、あるいは、施術時間の変更が行えるようにしたことを特徴とする。
【００１０】
請求項４の手段は、施術前における肌の水分量、油脂量、肌弾性を計測可能な肌診断器を使用して顧客の少なくと２カ所以上の部位の前記水分量、油脂量、肌弾性の肌診断データを取得して記憶させ、施術後における水分量、油脂量、肌弾性の肌診断データを取得し、前記施術前の肌診断データと施術後の肌診断データとをディスプレー上にグラフ等の比較可能なように表示したことを特徴とする。
【００１１】
【発明の実施の形態】
以下、本発明に係る肌診断の結果に基づく施術表示方法の実施の形態を図面と共に説明する。
図１はシステムブロック図にして、１は本体にして、液晶パネル１１ａ、該液晶パネル１１ａに一体的に設けられた複数のスイッチ１１ｂとからなるディスプレー１１と、該ディスプレー１１の近傍に一体的に形成されたハンドピースホルダー１２ａに抜き差し自在に保持されたヴァキューム１２ｂ、パター１２ｃ、肌診断器１２ｄとからなるメイン施術具１２と、前記ヴァキューム１２ｂを制御するための吸引制御回路１３ａ、パター１２ｃを制御するためのパター制御回路１３ｂ、肌診断器１２ｄを制御するための肌診断制御回路１３ｃとからなるメイン制御ユニット１３および前記メイン制御ユニット１３によって制御されるポンプ１４ａ、ソレノイド１４ｂおよび公知のセンサ部１４ｃ（例えば、肌の水分による電気的な抵抗値から水分量を得、該水分量から油分量および肌弾性を演算して得る）とからなる駆動源１４によって基本施術装置となっている。
【００１２】
なお、前記した各施術具１２ｂ〜１２ｄを保持するハンドピースホルダー１２ａは、各施術具が持ち上げられることによりスイッチがオン状態となって、各施術具に対応する制御回路１３ａ〜１３ｃが動作するようになっている。
【００１３】
前記した基本施術装置に対してオプション設定ができ、このオプション施術装置としては、前記した基本施術装置と同様に抜き差しすることでオン・オフするハンドピースホルダー１５ａに着脱自在に保持されるアイオノス１５ｂ、フリマトール１５ｃからなるオプション施術具１５と、前記アイオノス１５ｂを制御するためのアイオノス制御回路１６ａ、前記フリマトール１５ｃを制御するためのフリマトール制御回路１６ｂからなるオプション制御ユニット１６および前記オプション制御ユニット１６によって制御される電流制御部１７ａ、モータ１７ｂからなる駆動源１７とから構成されている。
【００１４】
なお、１８は施術時間が経過するとブザー音等を発声するスピーカである。また、前記したディスプレー１１と基本制御装置におけるメイン制御ユニット１３およびオプション制御ユニット１６とはＲＳ４２２通信回線によって接続されている。
【００１５】
２はスチーマーにして、蒸気温度や時間等を表示する液晶表示器２１と、蒸気噴出時間を長くするためのスイッチ２２ａ、蒸気噴出時間を短くするためのスイッチ２２ｂからなるスイッチ入力部２２と、電源のオン・オフを行うための電源スイッチ２３と、図示しないタンク内の水を加熱するための２つのヒーター２４と、タンク内の水量の上限と下限を計測するフロートスイッチ２５と、タンク内の湯の温度を検出するためのサーミスタ２６と、タンクの湯が無くなりタンクが異常に上昇した時に電源をオフするバイメタルサーモ２７および前記通信回線に接続され、該通信回線を介して指令されるとヒーター２４等を制御するスチーマー制御回路２８とより構成されている。
【００１６】
１９は予め、熟練した施術者の経験から得られた各施術に対する順序や施術時間等のデータをメモリに記憶させておき、前記した肌診断制御回路１３ｃによって得られた肌の水分量、油分量、肌弾性から、前記メモリに記憶されているデータとの比較を行って最適であると判断される施術順序および施術時間を選択し、また、前記センサ１４ｃによって肌診断を行うに際して、本発明にあっては、額、顎、左右の頬に当てて４か所の肌診断を行うので、前記各部における肌の水分量、油分量、肌弾性の診断結果のデータをグラフ状に表示すると共に、該データを記憶するための処理回路である。
【００１７】
次に、前記したシステムブロック図に基づいて動作を説明する。
先ず、肌診断を行う場合の動作を図２のフローチャートと共に説明する。
初期画面状態において、センサ１４ｃをハンドピースホルダー１２ａより外すと液晶パネル１１ａ上には人の顔画像が表示されると共に、該顔画面上の額部位にセンサ１４ｃを当てるように表示が行われる（ステップＳ１）。ここで、施術者がセンサ１４ｃの先端を顧客の額に対して略直角に当てる。
【００１８】
センサ１１ａが額に当てられると液晶パネル１１ａには只今測定中の表示が表れ（ステップＳ２）、肌診断制御回路１３ｃによる測定が終了すると、前記額部位における水分量、油分量、肌弾性の縦軸方向に対して測定結果がグラフの点や棒として表示される（ステップＳ３）。次いで、顔画面上の右頬の部位に当てるように表示が行われる（ステップＳ４）ので、施術者がセンサ１１ａを右頬に当てると只今測定中の表示が行われる（ステップＳ５）。
【００１９】
そして、肌診断制御回路１３ｃによる測定が終了すると、前記右頬部位における水分量、油分量、肌弾性の測定結果が横軸方向に追加表示される（ステップＳ６）。以下、同様にして、左頬および顎の部位の測定部位の表示（ステップＳ７）と、測定結果が横軸方向に図３に示すようにグラフ状に表示される（ステップＳ８）。
【００２０】
これらの測定結果、すなわち、縦軸に水分量、油分量、肌弾性に対する横軸の測定部位の測定結果はメモリに記憶される（ステップＳ９）。なお、前記各部位における測定結果は顔画像の各部位より引き出された引出線に水分量、油分量、肌弾性の測定結果である数値としても表示される。なお、表示方法としては前記した表示方法に限定されるものではなく、顧客が見ても自分の顔の各部における水分量、油分量、肌弾性が判るような表示方法は多数考えられる。
【００２１】
このようにメモリに記憶された測定結果のデータは処理回路１９に出力される。ここで、処理回路１９には、予め熟練した技術者が経験から、各水分量、油分量、肌弾性の値に対する施術順序や施術時間の基準データが記憶されているので、処理回路１９において前記測定結果のデータと予め記憶されている基準データとの比較を行い、測定結果のデータが基準データと最も近いデータを選択して、該選択したデータの施術順序と施術時間を液晶パネル１１ａ上に表示する。
【００２２】
そして、施術者が前記液晶パネル１１ａに表示された順序で、例えば、前記順序の最初がヴァキューム施術の表示が行われていた場合の動作について図４のフローチャートと共に説明する。
液晶パネル１１ａにはヴァキュームの画像と施術時間が表示される（ステップＳ２１）。なお、この表示方法としては、第１の画面に施術順序の画像が、第２の画面に施術時間を表示するようにしてもよい。
【００２３】
ここで、施術者がヴァキューム施術具１２ｂをハンドピースホルダー１２ａから外すと（ステップＳ２２）、該ハンドピースホルダー１２ａに設けられているスイッチがオン状態となって、吸引制御回路１３ａを介してポンプ１４ａが動作を開始する。
【００２４】
従って、施術者がヴァキューム施術具１２ｂを持って顧客の顔面の所望位置に当てると、吸引力によって皮膚の表面に付いた余分な皮脂や汚れを吸引する。そして、吸引操作をすることにより施術時間は操作を行っている時間だけ減算されるが（ステップＳ２２）、途中でヴァキューム施術具１２ｂをハンドピースホルダー１２ａを戻すと（ステップＳ２４）、前記時間の減算はその時点で停止し（ステップＳ２５）、再び、ハンドピースホルダー１２ａから外すと時間の減算が行われ、施術時間が終了すると（ステップＳ２６）、スピーカ１８より時間が経過したとのブザー音を発声する（ステップＳ２７）。
【００２５】
そして、前記したヴァキューム施術が終了すると、液晶パネル１１ａには次の施術内容が画像として表示されると共に施術時間が表示される（ステップＳ２８）ので、前記したヴァキューム施術具１２ｂをハンドピースホルダー１２ａに戻し、前記液晶パネル１１ａに表示されている次の施術具をハンドピースホルダー１２ａより外すことにより、前記ステップＳ２３に戻って前記したと同様な動作が行われる。
【００２６】
このように、全ての施術が終了したか否かの判断がステップＳ３０において行われるが、全ての施術が終了したとなると、肌診断器１２ｄによる施術後の前記した図２に示すフローチャートの動作と同じ動作を行って肌診断を行うと、施術前に行った肌診断結果のグラフ上に図５に示すように施術後の肌診断結果の表示が行われるので、施術前と施術後の肌の状態（水分量、油分量、肌弾性）を顧客が見ることができるので、施術結果に満足度を与えることが可能となる。
【００２７】
なお、前記した実施の形態において、肌診断の結果によって施術順序と施術時間が自動的に設定されるが、熟練の施術者のように個人的な感によって施術順序を変えたり、施術時間を短縮したり、所望の施術を削除したりすることが、ディスプレー１１に設けられているスイッチ１１ｂを操作することで変更が行えるようになっている。
【００２８】
前記施術においてスチーマーによる施術の場合には、前記した各施術具とは関係なく独立して行われるものである。すなわち、施術順序および施術時間については、画面どおりの施術順序および施術時間で行われるが、スチーマー２の液晶表示器２１には温度や時間が表示される。
【００２９】
そして、施術者が電源スイッチ２３をオン状態にしてヒーター２２に通電して蒸気を発生させ、この時、蒸気の噴出口を顧客の顔の部分に移動させて蒸気が顔に当たるようにして血行と新陳代謝を促す施術を行う。なお、施術時間の開始は蒸気が発生した時からスタートとし、時間が設定時間になると前記スピーカ１８によって知らせる。
【００３０】
なお、前記した実施の形態のように、処理回路１９において肌診断結果のデータと予め設定されているデータとの比較を行う必要はなく、例えば、エステテックサロンにおいて一般的な施術順序と施術時間をディスプレー１１上に表示し、施術者が自分の経験から施術順序を変更したり施術時間を変更し、あるいは、施術内容を削除して施術を行うようにしてもよい。
【００３１】
【発明の効果】
本発明は前記したように、施術前の肌診断データと施術後の肌診断データとをディスプレー上にグラフ等により比較可能なように表示したので、施術後における顧客が前記表示を見ることにより、施術効果の上がったことを確認でき満足感を与えることができるので、エステティクサロンにとっても有利な方法である。
【００３２】
また、肌診断データに基づいて最も最適であると判断される施術順序および施術時間が前記ディスプレー上に表示されるので、熟練者でない施術者であっても施術具の操作方法さえ知っていれば各種の施術を簡単および最適な状態で行え、従って、施術者の熟練度も早くなるものである。
【００３３】
さらに、施術順序および施術時間は必要に応じて施術順序を変更したり削除したり、あるいは、施術時間を変更することができるようにしたので、熟練の施術者の場合には自分の経験に合わせた施術も行うことができ、使い勝手が非常に良い方法である。
【００３４】
また、エステテックサロンや施術者が予め設定した所望の施術順序および施術時間が前記ディスプレー上に表示され、前記施術順序の変更や削除、あるいは、施術時間の変更が行えるようにしたので、エステテックサロンや施術者特有な施術が行えて他のエステテックサロンや施術者との差別が行える等の効果を有するものである。
【図面の簡単な説明】
【図１】本発明に係る肌診断の結果に基づく施術表示方法を実施するためのシステムブロック図である。
【図２】肌診断を行うためのフローチャートである。
【図３】肌診断を行った結果の液晶パネルに表示される模式図である。
【図４】ヴァキュームにより施術を行う場合のフローチャートである。
【図５】施術前と施術後の肌診断結果を比較した状態の液晶パネルに表示される模式図である。
【符号の説明】
１　　　　　　　　　　本体
１１　　　　ディスプレー
１１ａ　　　液晶パネル
１２　　　　メイン施術具
１３　　　　メイン制御ユニット
１４　　　　駆動源
１５　　　　オプション施術具
１６　　　　オプション制御ユニット
１７　　　　駆動源
２　　　　　スチーマー
【図１】
2004121662.tif 000003
【図２】
2004121662.tif 000004
【図３】
2004121662.tif 000005
【図４】
2004121662.tif 000006
【図５】
2004121662.tif 000007